【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
道路の車両通行帯に関する車両通行帯情報を記憶する車両通行帯情報記憶手段と、
端末装置の利用者の現在位置情報を取得する現在位置情報取得手段と、
上記現在位置情報取得手段により取得された上記現在位置情報に基づく上記端末装置の上記利用者の現在位置に対応する上記車両通行帯情報を上記車両通行帯情報記憶手段から取得する車両通行帯情報取得手段と、
経路案内を行っていない場合に、上記車両通行帯情報取得手段により取得された上記車両通行帯情報を含む出力用情報を出力部を介して出力させる出力用情報出力手段と、
を備えたことを特徴とする、ナビゲーションシステム。
【請求項２】
請求項１に記載のナビゲーションシステムにおいて、
上記ナビゲーションシステムは、
地図の地図情報を記憶する地図情報記憶手段、
を更に備え、
上記出力用情報は、
更に、上記地図情報記憶手段に記憶された、上記現在位置を含む上記地図の地図情報を含むことを特徴とする、ナビゲーションシステム。
【請求項３】
請求項１または２に記載のナビゲーションシステムにおいて、
上記車両通行帯情報は、
車両が走行不能または走行困難となる上記車両通行帯の規制情報を含み、
上記出力用情報は、
更に、上記現在位置に対応する車両通行帯情報に基づく上記車両通行帯が上記走行不能または上記走行困難である場合、警告通知を含むことを特徴とする、ナビゲーションシステム。
【請求項４】
請求項３に記載のナビゲーションシステムにおいて、
上記走行不能または走行困難となる車両通行帯は、
専用通行帯、または、優先通行帯であることを特徴とする、ナビゲーションシステム。
【請求項５】
請求項３に記載のナビゲーションシステムにおいて、
上記走行不能または走行困難となる車両通行帯の規制情報は、
工事または事故による交通規制情報であることを特徴とする、ナビゲーションシステム。
【請求項６】
請求項１乃至５のいずれか一つに記載のナビゲーションシステムにおいて、
上記車両通行帯情報取得手段は、
更に、上記現在位置近傍の上記道路の上記車両通行帯情報を上記車両通行帯情報記憶手段から取得することを特徴とする、ナビゲーションシステム。
【請求項７】
請求項１乃至６のいずれか一つに記載のナビゲーションシステムにおいて、
上記ナビゲーションシステムは、
撮影部にて撮影された画像に基づき上記車両通行帯を特定する特定情報を取得する特定情報取得手段、
を更に備え、
上記車両通行帯情報取得手段は、
上記特定情報取得手段により取得された上記特定情報に基づき、上記端末装置の利用者の現在位置に対応する上記車両通行帯情報を上記車両通行帯情報記憶手段から取得することを特徴とする、ナビゲーションシステム。
【請求項８】
請求項１乃至７のいずれか一つに記載のナビゲーションシステムにおいて、
上記車両通行帯情報は、
更に、車両の車線変更に関する上記車両通行帯の規制情報を含み、
上記出力用情報出力手段は、
上記経路案内を行っていない場合であり、上記現在位置が上記車線変更可能な上記車両通行帯にある場合に、上記車両通行帯情報取得手段により取得された、上記車線変更に関する上記車両通行帯の規制情報を含む上記車両通行帯情報を含む上記出力用情報を上記出力部を介して出力させることを特徴とする、ナビゲーションシステム。
【請求項９】
請求項１乃至７のいずれか一つに記載のナビゲーションシステムにおいて、
上記車両通行帯情報は、
更に、車両通行区分の規制情報を含み、
上記出力用情報出力手段は、
上記経路案内を行っていない場合に、上記車両通行帯情報取得手段により取得された、上記利用者により設定された車種に応じた上記車両通行区分の規制情報を含む上記車両通行帯情報を含む上記出力用情報を上記出力部を介して出力させることを特徴とする、ナビゲーションシステム。
【請求項１０】
出力部と制御部と記憶部とを少なくとも備えたナビゲーション装置であって、
上記記憶部は、
道路の車両通行帯に関する車両通行帯情報を記憶する車両通行帯情報記憶手段、
を備え、
上記制御部は、
上記ナビゲーション装置の利用者の現在位置情報を取得する現在位置情報取得手段と、
上記現在位置情報取得手段により取得された上記現在位置情報に基づく上記ナビゲーション装置の上記利用者の現在位置に対応する上記車両通行帯情報を上記車両通行帯情報記憶手段から取得する車両通行帯情報取得手段と、
経路案内を行っていない場合に、上記車両通行帯情報取得手段により取得された上記車両通行帯情報を含む出力用情報を上記出力部を介して出力させる出力用情報出力手段と、
を備えたことを特徴とする、ナビゲーション装置。
【請求項１１】
出力部を少なくとも備えた端末装置に通信可能に接続された、制御部と記憶部とを少なくとも備えたナビゲーションサーバであって、
上記記憶部は、
道路の車両通行帯に関する車両通行帯情報を記憶する車両通行帯情報記憶手段、
を備え、
上記制御部は、
上記端末装置の利用者の現在位置情報を取得する現在位置情報取得手段と、
上記現在位置情報取得手段により取得された上記現在位置情報に基づく上記端末装置の上記利用者の現在位置に対応する上記車両通行帯情報を上記車両通行帯情報記憶手段から取得する車両通行帯情報取得手段と、
上記車両通行帯情報取得手段により取得された上記車両通行帯情報を含む上記出力用情報に基づく表示画面を生成する表示画面生成手段と、
経路案内を行っていない場合に、上記表示画面を含む出力制御情報を上記端末装置へ送信することにより、当該端末装置の上記出力部を介して当該出力制御情報を出力させる出力制御手段と、
を備えたことを特徴とする、ナビゲーションサーバ。
【請求項１２】
ナビゲーションシステムにおいて実行されるナビゲーション方法であって、
上記ナビゲーションシステムは、
道路の車両通行帯に関する車両通行帯情報を記憶する車両通行帯情報記憶手段と、現在位置情報取得手段と、車両通行帯情報取得手段と、出力用情報出力手段と、
を備え、
上記現在位置情報取得手段が、端末装置の利用者の現在位置情報を取得する現在位置情報取得ステップと、
上記車両通行帯情報取得手段が、上記現在位置情報取得ステップにて取得された上記現在位置情報に基づく上記端末装置の上記利用者の現在位置に対応する上記車両通行帯情報を上記車両通行帯情報記憶手段から取得する車両通行帯情報取得ステップと、
上記出力用情報出力手段が、経路案内を行っていない場合に、上記車両通行帯情報取得ステップにて取得された上記車両通行帯情報を含む出力用情報を出力部を介して出力させる出力用情報出力ステップと、
を含むことを特徴とする、ナビゲーション方法。
【請求項１３】
ナビゲーションシステムに実行させるためのプログラムであって、
上記ナビゲーションシステムは、
道路の車両通行帯に関する車両通行帯情報を記憶する車両通行帯情報記憶手段、
を備え、
上記ナビゲーションシステムにおいて、
端末装置の利用者の現在位置情報を取得する現在位置情報取得ステップと、
上記現在位置情報取得ステップにて取得された上記現在位置情報に基づく上記端末装置の上記利用者の現在位置に対応する上記車両通行帯情報を上記車両通行帯情報記憶手段から取得する車両通行帯情報取得ステップと、
経路案内を行っていない場合に、上記車両通行帯情報取得ステップにて取得された上記車両通行帯情報を含む出力用情報を出力部を介して出力させる出力用情報出力ステップと、
を実行させるためのプログラム。